(57)【要約】      （修正有）【課題】薬液体等の液体（混練液体）を混練して一定量の液体を押し出す液体押し出し装置の液体押し出し機構の各構成物に付着した液体を清浄化して構成物の機能低下を防止する液体押し出し装置における着脱式液体混練押し出し機構を提供する。【解決手段】液体押し出し装置には液体１３を収納する収納容器４と液体１３を混練する羽根体１と液体１３の押し出しを行う中空軸体２及び押し出し棒３があり、液体１３の付着する可能性のある構成物は装置本体２００側に着脱可能に支持される。【選択図】図１
0003169842.tif 000002
【実用新案登録請求の範囲】
【請求項１】
収納容器内の液体を混練すると共にその液体体を前記収納容器から必要量だけ使用側に押し出すための液体押し出し装置における液体混練押し出し機構であって、前記液体混練押し出し機構は、前記液体を混練する羽根体と、該羽根体内に摺動自在に支持される中空軸体と、該中空軸体内に摺動自在に支持される押し出し棒とを有するものからなり、前記羽根体と中空軸体及び押し出し棒は前記液体押し出し装置の装置本体側にすべて着脱自在に保持されると共にこれ等を作動する駆動部及びその制御部に連結され、前記羽根体と中空軸体及び押し出し棒は使用時において前記収納容器内に収納され、前記収納容器は前記装置本体側に着脱自在に保持されることを特徴とする液体押し出し装置における着脱式液体混練押し出し機構。
【考案の詳細な説明】
【技術分野】
【０００１】
本考案は、薬液体等の混練を必要とする液体を一定量だけ使用側に押し出しする液体押し出し機構が装置本体側に着脱自在に支持されて洗浄可能とし、清浄状態に保持できる液体押し出し装置における着脱式液体混練押し出し機構に関する。
【背景技術】
【０００２】
混合液体を押し出しする押し出し装置としては数多くのものがあるが、例えば「特許文献１」の如きものがある。
【先行技術文献】
【特許文献】
【０００３】
【特許文献１】特開２００４−３４４１４８号（図１）
【考案の概要】
【考案が解決しようとする課題】
【０００４】
「特許文献１」の「特開２００４−３４４１４８号」の「無茹麺の製造方法」は混練されている混合液体を加熱しながら動力で押し出すものである。このものはその（図１）に示されているように容器（９）内の混合液体（３）を羽根で混練はしているが、混合液体の押し出しについて主として重力によるものであり、かつ装置を構成する各構成物に付着した混合液体を除去する構造は形成されておらず、混合液体に接触する各部が清浄に保持出来るものではない。
【０００５】
液体押し出し装置としては各種の構造のものがあるが、後に説明する本考案の適用されている液体押し出し装置としては液体に触れているものとして収納容器と羽根体と中空軸体及び押し出し棒であり、これ等には液体が付着する。使用される液体の種類としては各種のものがあるが、液体によっては前記の各構成物に付着して固化するものもあり、前記の構成物がその機能を十分に果すことができない問題点がある。これを防止するには前記の構成物に液体が付着して固化しないように保持することが必要である。しかしながら、従来の液体押し出し装置としてはこの点に留意したものは見当らない。
【０００６】
そこで本考案の液体押し出し装置では液体に接触する構成物に液体が付着して固化してその機能を低下させることがないように前記構成物の洗浄ができこれ等を清浄状態に保持できる液体押し出し装置における着脱式液体混練押し出し機構を提供することを目的とする。
【課題を解決するための手段】
【０００７】
本考案は、以上の目的を達成するために、請求項１の考案は、収納容器内の液体を混練すると共にその液体体を前記収納容器から必要量だけ使用側に押し出すための液体押し出し装置における液体混練押し出し機構であって、前記液体混練押し出し機構は、前記液体を混練する羽根体と、該羽根体内に摺動自在に支持される中空軸体と、該中空軸体内に摺動自在に支持される押し出し棒とを有するものからなり、前記羽根体と中空軸体及び押し出し棒は前記液体押し出し装置の装置本体側にすべて着脱自在に保持されると共にこれ等を作動する駆動部及びその制御部に連結され、前記羽根体と中空軸体及び押し出し棒は使用時において前記収納容器内に収納され、前記収納容器は前記装置本体側に着脱自在に保持されることを特徴とする。
【考案の効果】
【０００８】
本考案の請求項１の液体押し出し装置における着脱式液体混練押し出し機構によれば、液体に接触している構成物としての収納容器と羽根体と中空軸体及び押し出し棒があり、これ等はすべて装置本体側から取り外せる着脱自在構造となっている。そのため適宜にこれ等を装置本体から取り外して清浄することができ、これ等の構成物の清浄化を図ることができる。また、この構成物の着脱機構は簡便のものからなり、かつコンパクトにまとめられている。
【図面の簡単な説明】
【０００９】
【図１】液体押し出し機構の使用時における装置本体側に取り付けられている状態を示す部分断面図。
【図２】液体押し出し機構の装置本体側への着脱自在構造及びこれ等を動作する駆動部及び制御部を示す部分断面図。
【図３】液体押し出し機構の内の羽根体を示す断面図。
【図４】液体押し出し機構の内の中空軸体を示す断面図。
【図５】液体押し出し機構の内の押し出し棒を示す正面図（ａ）及び上面図（ｂ）。
【図６】収納容器とその着脱自在構造を示す部分断面図。
【図７】液体押し出し機構における液体の押し出し方法を示す部分断面図（ａ），（ｂ），（ｃ）。
【考案を実施するための形態】
【００１０】
以下、本考案の液体押し出し装置における着脱式液体混練押し出し機構の実施の形態を図面を参照して詳述する。
図１に示すように液体押し出し装置（この構造は省略するが実用新案登録第３１６５４３１号に表示されているものと基本的に同一のものからなる）の装置本体２００には液体押し出し機構１００が図示のように配設されている。
【００１１】
液体押し出し機構１００としては、羽根体１と中空軸体２と押し出し棒３と収納容器４等の構成物からなる。
【００１２】
装置本体２００としては後に説明する駆動部や制御部を形成する本体２０１とこれを保持するベース台２０２とベース台２０２に固定される支持体２０３等があり、支持体２０３には収納容器４の開放側が挿着される保持体２０４が固定されている。
【００１３】
図３に示すように、羽根体１は内径ｄ１の中空軸１ａとこの中空軸１ａの先端側に固定される羽根１ｂとからなり、中空軸１ａの基端側にはねじ部１ｃが形成されている。
【００１４】
図４に示すように、中空軸体２は本実施例では樹脂製の内径ｄ２のパイプ体２ａからなり、その基端側にはねじ部２ｂが形成されている。なお、パイプ体２ａの外径Ｄ１は羽根体１ａと内径ｄ１とほぼ同一のものからなり、中空軸体２は羽根体１に摺動自在に支持されるものからなる。
【００１５】
図５（ａ），（ｂ）に示すように、押し出し棒３は中空軸体２の内径ｄ２とほぼ同一の外径Ｄ２を有する棒体からなり、その基端側には外径Ｄ２の両対面をカットした平坦部３ａが形成され、この平坦部３ａの長手方向のほぼ中央部には溝３ｂが形成される。また、棒体の先端側には外径Ｄ２よりやや大径の柔軟なシール材３ｃが嵌着されている。
【００１６】
図２は前記構造の羽根体１や中空軸体２及び押し出し棒３の装置本体２００側への取り付け形態を示すものであり、これ等は装置本体２００側に着脱自在に取り付けられている。
【００１７】
保持体２０４の中心部には貫通孔２０４ａが設けられ、この貫通孔２０４ａ内には装置本体２００側に連結されるパイプ５が挿通され、このパイプ５の先端部には羽根体１のねじ部１ｃの螺着する雌ねじ部５ａが形成されている。そのため、羽根体１はパイプ５に着脱自在に支持されて取り付けられている。
【００１８】
パイプ５内には中空軸体２を着脱自在に支持するためのパイプ６が設けられ、このパイプ６の先端部には中空軸体２のねじ部２ｂの螺着する雌ねじ部６ａが形成される。これにより中空軸体２はパイプ６に着脱可能に支持される。
【００１９】
パイプ６の内部には装置本体２００側に摺動自在に支持される保持軸７が設けられている。この保持軸７は液体押し出し装置の不使用時においてもその先端部７ａを保持体２０４の表面から突出した状態で保持され、この状態から上下（前後）に移動できる状態で配設されている。この先端部７ａには押し出棒３の平坦部３ａが挿着される開口溝７ｂが設けられると共にこの開口溝７ｂの中間部には押し出し棒３の溝３ｂが嵌り込む支持軸７ｃが固定されている。この構造により押し出し棒３は支持軸７ｃに溝３ｂを嵌め込むことにより保持軸７に着脱自在に支持されることになる。
【００２０】
詳細構造の説明は省略するが、パイプ５とパイプ６及び保持軸７には駆動部９と駆動部１０及び駆動部１１が夫々連結されパイプ５の回転やパイプ６及び保持軸７の上下動（前後動）を行うように形成されている。また、これ等の駆動部９，１０，１１は装置本体２００側の制御部１２に連結されて制御される。
【００２１】
収納容器４は図１や図６に示すものからなり、液体を内部に収納するコップ状の透明で樹脂製の容器本体４ａからなり、その開放側は保持体２０４側に挿着され収納容器押圧具８により保持体２０４側に押圧されて保持される。
この収納容器４の容器本体４ａの先端部には液体を押し出す（送出）ための鍔付きブッシュ４ｂが固定される。なお、鍔付きブッシュ４ｂには収納容器押圧具８の嵌り込む嵌り込み部４ｃが容器本体４ａからはみ出して配設されている。
【００２２】
収納容器押圧具８は図１や図６に示すようにベース台２０２上に固定される台８ａに基端側を保持されるレバー８ｂと、台８ａに基端側をピン支持される押圧具８ｃからなり、レバー８ｂはその先端側を押圧具８ｃに枢支される。また、レバー８ｂと押圧具８ｃ間にはスプリング８ｄが介設される。
このレバー８ｂの基端側にはＬ字形状の溝８ｅが形成され、台８ａ側のピン８ｆが溝８ｅに嵌り込み、レバー８ｂを所定位置に保持するように形成されている。
また、押圧具８ｃの先端側には鍔付きブッシュ４ｂの嵌り込み部４ｃに嵌り込む保持孔８ｇが形成される。
収納容器４を保持体２０４に挿着し、収納容器押圧具８の押圧具８ｃの保持孔８ｇをノズル４ｂの嵌り込み部４ａに嵌め込んで収納容器押圧具８を収納容器４側に押圧することによりピン８ｆが溝８ｅに嵌り込み、収納容器押圧具８が固定され、その結果収納容器４が保持体２０４側に保持される。
【００２３】
図７（ａ），（ｂ），（ｃ）は以上の構造の液体押し出し機構１００による液体１３の押し出し方法（送出方法）について説明する。
図７（ａ）は羽根体１によって収納容器４内の液体１３が混練されている状態であり、鍔付きブッシュ４ｂの上面から中空軸体２が離れた状態にあり、押し出し棒３は中空軸体２内に収納されている状態を示す。液体１３の押し出し時には図７（ｂ）に示すように中空軸体２が下降し鍔付きブッシュ４ｂの上面に当る。そのため一定量の液体１３が押し出棒３と鍔付きブッシュ４ｂとの間に収納される。この液体１３は押し出し棒３の下降によって鍔付きブッシュ４ｂから押し出されて使用側に送られることになる。
【００２４】
以上の液体押し出し装置の液体１３の使用により、羽根体１や中空軸体２や押し出し棒３及び収納容器４には液体１３が付着し、これ等に固着してそれ等の円滑な動きや機能を低下させる不具合が生ずる。
本考案は、このような不具合が生じないためのものである。
即ち、液体１３の押し出しされない不使用時において羽根体１や中空軸体２や押し出し棒３及び収納容器４はすべて装置本体２００側から取り外すことができる。羽根体１や中空軸体２はねじ部１ｃやねじ部２ｂの開放により簡単に取り外しができ、押し出し棒３はその平坦部３ａを開口溝７ｂから開放すればよく、収納容器４は収納容器押圧具８を開放側に押圧することにより開放される。
以上のように装着本体２００側から取り外しされた羽根体１や中空軸体２や押し出し棒３及び収納容器４はすべて清浄液体等で容易に清浄化することができる。
【００２５】
本考案の液体押し出し装置における着脱式液体混練押し出し機構は以上の内容のものからなるが、本考案は以上の内容に限定するものではなく、同一技術的範疇のものが適用されることは勿論である。
【産業上の利用可能性】
【００２６】
本考案の液体押し出し装置における着脱式液体混練押し出し機構は混練された液体を一定量づつ外部に放出し、かつ液体の接触による不具合を解消するすべてのものに適用可能であり、その利用範囲は極めて広い。
【符号の説明】
【００２７】
１        羽根体
１ａ      中空軸
１ｂ      羽根
１ｃ      ねじ部
２        中空軸体
２ａ      パイプ体
２ｂ      ねじ部
３        押し出し棒
３ａ      平坦部
３ｂ      溝
３ｃ      シール材
４        収納容器
４ａ      容器本体
４ｂ      鍔付きブッシュ
４ｃ      嵌り込み部
５        パイプ
５ａ      雌ねじ部
６        パイプ
６ａ      雌ねじ部
７        保持軸
７ａ      先端部
７ｂ      開口溝
７ｃ      支持軸
８        収納容器押圧具
８ａ      台
８ｂ      レバー
８ｃ      押圧具
８ｄ      スプリング
８ｅ      溝
８ｆ      ピン
８ｇ      保持孔
９        駆動部
１０      駆動部
１１      駆動部
１２      制御部
１３      液体
１００    液体押し出し機構
２００    装置本体
２０１    本体
２０２    ベース台
２０３    支持体
２０４    保持体
２０４ａ  貫通孔
【図１】
0003169842.tif 000003
【図２】
0003169842.tif 000004
【図３】
0003169842.tif 000005
【図４】
0003169842.tif 000006
【図５】
0003169842.tif 000007
【図６】
0003169842.tif 000008
【図７】
0003169842.tif 000009